(57)【要約】【課題】第１の従来例の場合、運転者が特別なキー操作を行わない限り、通話待機状態を解除することができず、安全に通話を開始することができない場合がある課題があった。  また、第２の従来例の場合、着信音によって発信相手を識別することができるが、着信音と発信相手の対応関係を忘れると、発信相手を識別することができなくなる課題があった。【解決手段】発信端末の電話番号に一致する電話番号を登録している場合、その電話番号に対応する呼び出し名を音声出力するとともに、その電話番号を自動応答の対象として登録していれば、発信端末との通話接続処理を実施する。【選択図】図１
2006262510.tif 000002
【特許請求の範囲】
【請求項１】
予め電話番号の登録を受け付けるとともに、その電話番号に対応する応答メッセージの登録を受け付ける登録受付手段と、発信端末の電話番号を取得する電話番号取得手段と、上記電話番号取得手段により取得された電話番号に一致する電話番号が上記登録受付手段に登録されている場合、その電話番号に対応する応答メッセージを上記発信端末に送信する応答手段とを備えた着信制御装置。
【請求項２】
応答手段は、電話番号取得手段により取得された電話番号に一致する電話番号が登録受付手段に登録されていない場合、共通の応答メッセージを上記発信端末に送信することを特徴とする請求項１記載の着信制御装置。
【請求項３】
応答手段は、着信制御がシステム共通優先に設定された場合、発信端末の電話番号と無関係に、共通の応答メッセージを上記発信端末に送信することを特徴とする請求項１記載の着信制御装置。
【請求項４】
予め電話番号の登録を受け付けるとともに、その電話番号に対応する応答メッセージの登録を受け付け、発信端末の電話番号を取得すると、その電話番号に一致する電話番号を登録している場合、その電話番号に対応する応答メッセージを上記発信端末に送信する着信制御方法。
【請求項５】
発信端末の電話番号に一致する電話番号を登録していない場合、共通の応答メッセージを上記発信端末に送信することを特徴とする請求項４記載の着信制御方法。
【請求項６】
着信制御がシステム共通優先に設定された場合、発信端末の電話番号と無関係に、共通の応答メッセージを上記発信端末に送信することを特徴とする請求項４記載の着信制御方法。
【発明の詳細な説明】
【技術分野】
【０００１】
この発明は、電話着信時の利用者の操作を軽減する着信制御装置及び着信制御方法に関するものである。
【背景技術】
【０００２】
自動車運転中の電話使用による事故の危険を避けるために、着信時に何らの操作を行わないときは、自動的に着信を受けて応答メッセージを発信端末に送信し、続いて保留音を発信端末に送信して通話待機状態とする自動車電話の着信制御装置が特開平１０−２２９５８４号公報に開示されている（以下、第１の従来例という）。
【０００３】
また、着信時に発信端末の電話番号を確認し、その電話番号に対応する着信音を出力する着信制御装置が特開平１１−１５０５９８号公報に開示されている（以下、第２の従来例という）。
さらに、車両が走行中の場合、着信音を３秒間発生して、ハンドフリー通話を可能にする着信制御装置が特開平５−１０５００５号公報に開示されている（以下、第３の従来例という）。
【０００４】
【特許文献１】特開平１０−２２９５８４号公報
【特許文献２】特開平１１−１５０５９８号公報
【特許文献３】特開平  ５−１０５００５号公報
【発明の開示】
【発明が解決しようとする課題】
【０００５】
従来の着信制御装置は以上のように構成されているので、第１の従来例の場合、運転者が特別なキー操作を行わない限り、通話待機状態を解除することができず、安全に通話を開始することができない場合がある課題があった。
また、第２の従来例の場合、着信音によって発信相手を識別することができるが、着信音と発信相手の対応関係を忘れると、発信相手を識別することができなくなる課題があった。
さらに、第３の従来例の場合、例えば、運転に集中したいときでも、発信相手の重要度に関係なく通話状態になり、自動車の運転に支障がでる場合がある課題があった。
【０００６】
この発明は上記のような課題を解決するためになされたもので、発信相手を識別することができるとともに、安全に通話を開始することができる着信制御装置及び着信制御方法を得ることを目的とする。
また、この発明は、ユーザが特別な操作を行うことなく、適切な応答メッセージを送信することができる着信制御装置及び着信制御方法を得ることを目的とする。
【課題を解決するための手段】
【０００７】
この発明に係る着信制御装置は、電話番号取得手段により取得された電話番号に一致する電話番号が登録受付手段に登録されている場合、その電話番号に対応する応答メッセージを発信端末に送信する応答手段を設けたものである。
【０００８】
この発明に係る着信制御装置は、電話番号取得手段により取得された電話番号に一致する電話番号が登録受付手段に登録されていない場合、応答手段が共通の応答メッセージを発信端末に送信するようにしたものである。
【０００９】
この発明に係る着信制御装置は、着信制御がシステム共通優先に設定された場合、応答手段が発信端末の電話番号と無関係に、共通の応答メッセージを発信端末に送信するようにしたものである。
【００１０】
この発明に係る着信制御方法は、発信端末の電話番号に一致する電話番号を登録している場合、その電話番号に対応する応答メッセージを発信端末に送信するようにしたものである。
【００１１】
この発明に係る着信制御方法は、発信端末の電話番号に一致する電話番号を登録していない場合、共通の応答メッセージを発信端末に送信するようにしたものである。
【００１２】
この発明に係る着信制御方法は、着信制御がシステム共通優先に設定された場合、発信端末の電話番号と無関係に、共通の応答メッセージを発信端末に送信するようにしたものである。
【発明の効果】
【００１３】
この発明によれば、電話番号取得手段により取得された電話番号に一致する電話番号が登録受付手段に登録されている場合、その電話番号に対応する応答メッセージを発信端末に送信する応答手段を設けるように構成したので、ユーザが特別な操作を行うことなく、適切な応答メッセージを送信することができる効果がある。
【００１４】
この発明によれば、電話番号取得手段により取得された電話番号に一致する電話番号が登録受付手段に登録されていない場合、応答手段が共通の応答メッセージを発信端末に送信するように構成したので、電話番号が登録されていない場合でも、ユーザが特別な操作を行うことなく、応答メッセージを送信することができる効果がある。
【００１５】
この発明によれば、着信制御がシステム共通優先に設定された場合、応答手段が発信端末の電話番号と無関係に、共通の応答メッセージを発信端末に送信するように構成したので、ユーザが特別な操作を行うことなく、所定の応答メッセージを送信することができる効果がある。
【００１６】
この発明によれば、発信端末の電話番号に一致する電話番号を登録している場合、その電話番号に対応する応答メッセージを発信端末に送信するように構成したので、ユーザが特別な操作を行うことなく、適切な応答メッセージを送信することができる効果がある。
【００１７】
この発明によれば、発信端末の電話番号に一致する電話番号を登録していない場合、共通の応答メッセージを発信端末に送信するように構成したので、電話番号が登録されていない場合でも、ユーザが特別な操作を行うことなく、応答メッセージを送信することができる効果がある。
【００１８】
この発明によれば、着信制御がシステム共通優先に設定された場合、発信端末の電話番号と無関係に、共通の応答メッセージを発信端末に送信するように構成したので、ユーザが特別な操作を行うことなく、所定の応答メッセージを送信することができる効果がある。
【発明を実施するための最良の形態】
【００１９】
以下、この発明の実施の一形態を説明する。
実施の形態１．
図１はこの発明の実施の形態１による着信制御装置を示す構成図であり、図において、１は携帯電話機や自動車電話機などの移動通信端末の送受信回路部、２は予め電話番号の登録を受け付けるとともに、その電話番号に対応する呼び出し名，自動応答の有無，応答メッセージなどを設定する着信制御設定部（登録受付手段）、３は中央処理装置５の実行プログラム等を格納するＲＯＭ、４は中央処理装置５により一時記憶メモリとして使用されるＲＡＭ、５は着信制御装置の各構成部を制御する中央処理装置、６はユーザが電話番号の登録等を行う際に使用する操作キー、７は中央処理装置５の指示の下、発信端末の電話番号や呼び出し名等を表示器８に表示させる表示制御部、８は液晶ディスプレイなどの表示器、９は表示文字のフォントなどを格納する表示文字ＲＯＭである。
【００２０】
１０は移動通信端末の送受信回路部１が着信を受けると、中央処理装置５の指示の下、送受信回路部１から発信端末の電話番号を取得するとともに、着信制御設定部２の設定内容に応じた着信処理を実施する着信制御処理部（電話番号取得手段、通話手段）、１１は着信制御処理部１０により取得された電話番号に一致する電話番号が着信制御設定部２に登録されている場合、中央処理装置５の指示の下、その電話番号に対応する呼び出し名を音声信号に変換して音声処理部１２に出力する着信音声発生部、１２は着信音声発生部１１から出力された音声信号にしたがってスピーカ１３から呼び出し名を音声出力させる一方、マイク１４から音声入力されたユーザの声等を音声処理して音声信号を通話処理部１６に出力する音声処理部、１３はスピーカ、１４はマイクである。
【００２１】
１５は中央処理装置５の指示の下、発信端末による呼び出し回数が着信制御設定部２に登録されている呼び出し回数に到達すると、疑似フック信号を移動通信端末の送受信回路部１に出力して移動通信端末を通話状態にする疑似フック信号発生部、１６は移動通信端末の送受信回路部１を介して、発信端末とハンズフリーによる通話を可能にする通話処理部である。なお、着信音声発生部１１，音声処理部１２，スピーカ１３，マイク１４，疑似フック信号発生部１５及び通話処理部１６は通話手段を構成している。
【００２２】
１７は着信制御処理部１０により取得された電話番号に一致する電話番号が着信制御設定部２に登録されている場合、中央処理装置５の指示の下、その電話番号に対応する応答メッセージを発信端末に送信する送信メッセージ発生部（応答手段）、１８は中央処理装置５の指示の下、通話処理部１６による通話音声を録音する会話録音部（録音手段）、１９は中央処理装置５により切り替えられるスイッチである。
図２〜図４はこの発明の実施の形態１による着信制御方法を示すフローチャートである。
【００２３】
次に動作について説明する。
まず、ユーザは着信制御装置を使用するに際して、操作キー６を操作して着信制御に必要な情報を着信制御設定部２に設定する。
具体的には次のような内容を設定する。
Ａ．着信制御（ＯＦＦ／システム共通優先／登録番号優先）
１）着信制御がＯＦＦであれば、着信制御装置による移動通信端末の制御は行われない。
２）着信制御がシステム共通優先であれば、発信端末の電話番号と無関係に、下記の設定内容にしたがって着信制御が行われる。
３）着信制御が登録番号優先であれば、発信端末の電話番号を識別して、その電話番号に対応する着信制御が行われる。
【００２４】
Ｂ．登録番号別の設定項目
１）電話番号
２）登録名（例えば、発信相手の名前）
３）呼び出し着信フラグ
呼び出し着信フラグがＯＮであれば、着信時に下記の呼び出し名が音声出力され、呼び出し着信フラグがＯＦＦであれば、着信時にブザー音等が出力される。
４）呼び出し名
着信時に音声出力される着信音声であり、例えば、“○○くんから電話です”のように設定する。
【００２５】
５）自動受信フラグ
自動受信フラグがＯＮであれば、自動的に通話可能な状態に制御され、自動受信フラグがＯＦＦであれば、ユーザが手動操作を行わない限り、通話可能な状態に制御されない。
６）自動受信までの呼び出し回数
７）自動メッセージ送信フラグ
自動メッセージ送信フラグがＯＮであれば、自動的に下記の応答メッセージが発信端末に送信され、自動メッセージ送信フラグがＯＦＦであれば、応答メッセージが発信端末に送信されることはない。
８）応答メッセージ
発信端末に自動的に送信されるメッセージであり、例えば、“１２時までに○○駅に行きます”のように設定される。
９）通話録音フラグ
通話録音フラグがＯＮであれば、通話内容が録音され、通話録音フラグがＯＦＦであれば、通話内容が録音されない。
【００２６】
Ｃ．システム共通の設定項目
１）呼び出し着信フラグ
呼び出し着信フラグがＯＮであれば、着信時に下記の呼び出し着信音声が出力され、呼び出し着信フラグがＯＦＦであれば、着信時にブザー音等が出力される。
２）呼び出し着信音声
着信時に音声出力される着信音声であり、例えば、“電話がかかってきました”のように設定する。
３）自動受信フラグ
４）自動受信までの呼び出し回数
５）自動メッセージ送信フラグ
６）応答メッセージ
７）通話録音フラグ
【００２７】
ユーザが上記のようにして着信制御に必要な情報の設定を完了したのち、移動通信端末の送受信回路部１が着信を受けると、着信制御処理部１０が中央処理装置５の指示の下、送受信回路部１から発信端末の電話番号を取得して、その電話番号をＲＡＭ４内の電話番号格納領域に格納する（ステップＳＴ１，ＳＴ２）。
中央処理装置５は、着信制御処理部１０が発信端末の電話番号をＲＡＭ４内の電話番号格納領域に格納すると、その電話番号に一致する電話番号が着信制御設定部２に設定されているか否かを判定する（ステップＳＴ３）。
【００２８】
中央処理装置５は、発信端末の電話番号に一致する電話番号が設定されている場合、その電話番号の参照アドレス（着信制御設定部２における当該電話番号の格納アドレス）をＲＡＭ４内の参照アドレス格納領域に格納し（ステップＳＴ４）、表示制御部７を制御して、その電話番号の登録名を表示器８に表示させる（ステップＳＴ５）。
一方、発信端末の電話番号に一致する電話番号が設定されていない場合、システム共通の設定項目の格納アドレスをＲＡＭ４内の参照アドレス格納領域に格納し（ステップＳＴ６）、表示制御部７を制御して、発信端末の電話番号を表示器８に表示させる（ステップＳＴ７）。
【００２９】
次に、着信制御処理部１０は、中央処理装置５の指示の下、着信制御設定部２における着信制御（ＯＦＦ／システム共通優先／登録番号優先）の設定状態を調査する（ステップＳＴ８）。
例えば、着信制御がＯＦＦに設定されている場合には、着信制御装置の着信制御処理を終了し、着信制御が登録番号優先の場合には、ステップＳＴ１０の処理に移行する。また、着信制御がシステム共通優先の場合には、システム共通の設定項目の格納アドレスをＲＡＭ４内の参照アドレス格納領域に格納して（ステップＳＴ９）、ステップＳＴ１０の処理に移行する。したがって、着信制御がシステム共通優先の場合には、発信端末の電話番号に一致する電話番号が設定されている場合でも、発信端末の電話番号と無関係に着信制御が行われる。
【００３０】
次に、着信制御処理部１０は、中央処理装置５の指示の下、着信制御設定部２に設定されている呼び出し着信フラグ、即ち、ＲＡＭ４内の参照アドレス格納領域に格納されている登録電話番号（発信端末の電話番号に一致する電話番号）の呼び出し着信フラグ、または、ＲＡＭ４内の参照アドレス格納領域に格納されているシステム共通の設定項目の呼び出し着信フラグがＯＮであるか否かを調査して（ステップＳＴ１０）、その調査結果を中央処理装置５に通知する。
【００３１】
着信音声発生部１１は、呼び出し着信フラグがＯＮである場合、中央処理装置５の指示の下、登録電話番号に対応する呼び出し名（呼び出し着信音声）、または、システム共通の設定項目の呼び出し着信音声を音声信号に変換して音声処理部１２に出力する。これにより、音声処理部１２が当該音声信号にしたがってスピーカ１３から呼び出し着信音声を音声出力させる（ステップＳＴ１１）。
【００３２】
次に、着信制御処理部１０は、ＲＡＭ４内の呼び出し回数格納領域に“１”を格納して（ステップＳＴ１２）、疑似フック信号発生部１５から既に疑似フック信号が移動通信端末の送受信回路部１に出力されているか否かを判定する（ステップＳＴ１３）。ただし、この例では疑似フック信号は未だ出力されていない。
また、着信制御処理部１０は、着信制御設定部２に設定されている自動受信フラグ、即ち、ＲＡＭ４内の参照アドレス格納領域に格納されている登録電話番号の自動受信フラグ、または、ＲＡＭ４内の参照アドレス格納領域に格納されているシステム共通の設定項目の自動受信フラグがＯＮであるか否かを調査する（ステップＳＴ１４）。
【００３３】
自動受信フラグがＯＦＦの場合、ステップＳＴ１３の処理に戻る。したがって、この場合、疑似フック信号発生部１５から自動的に疑似フック信号が移動通信端末の送受信回路部１に出力されることはないので、ユーザがキー操作を実施しない限り、相手側と通話を開始することができない。
自動受信フラグがＯＮの場合、着信制御処理部１０は、ＲＡＭ４内の呼び出し回数格納領域に格納されている呼び出し回数が着信制御設定部２に設定されている呼び出し回数、即ち、ＲＡＭ４内の参照アドレス格納領域に格納されている登録電話番号の呼び出し回数、または、ＲＡＭ４内の参照アドレス格納領域に格納されているシステム共通の設定項目の呼び出し回数に到達したか否かを判定し（ステップＳＴ１５）、その判定結果を中央処理装置５に通知する。
【００３４】
疑似フック信号発生部１５は、ＲＡＭ４内の呼び出し回数格納領域に格納されている呼び出し回数が着信制御設定部２に設定されている呼び出し回数に到達した場合、中央処理装置５の指示の下、疑似フック信号を移動通信端末の送受信回路部１に出力して移動通信端末を通話状態にする（ステップＳＴ１６，ＳＴ１７）。
即ち、マイク１４がユーザの声を入力すると、音声処理部１２がユーザの声を音声処理して音声信号を出力し、通話処理部１６が移動通信端末の送受信回路部１を介して、その音声信号を発信端末に送信する。また、通話処理部１６が発信端末から送信された音声信号を移動通信端末の送受信回路部１を介して受信し、音声処理部１２が当該音声信号にしたがって相手側の声をスピーカ１３から出力させるようにする。
【００３５】
一方、着信制御設定部２に設定されている呼び出し回数に到達していない場合、呼び出し着信フラグがＯＮであれば、ステップＳＴ１１と同様にして、スピーカ１３から呼び出し着信音声を音声出力させたのち（ステップＳＴ１８，ＳＴ１９）、ＲＡＭ４内の呼び出し回数格納領域に格納されている呼び出し回数をインクリメントする（ステップＳＴ２０）。呼び出し着信フラグがＯＦＦであれば、呼び出し着信音声を音声出力させることなく、ＲＡＭ４内の呼び出し回数格納領域に格納されている呼び出し回数をインクリメントする（ステップＳＴ２０）。
【００３６】
次に、着信制御処理部１０は、着信制御設定部２に設定されている通話録音フラグ、即ち、ＲＡＭ４内の参照アドレス格納領域に格納されている登録電話番号の通話録音フラグ、または、ＲＡＭ４内の参照アドレス格納領域に格納されているシステム共通の設定項目の通話録音フラグがＯＮであるか否かを調査し（ステップＳＴ２１）、その調査結果を中央処理装置５に通知する。
会話録音部１８は、通話録音フラグがＯＮである場合、中央処理装置５の指示の下、通話処理部１６による通話音声を録音する（ステップＳＴ２２）。
【００３７】
次に、着信制御処理部１０は、着信制御設定部２に設定されている自動メッセージ送信フラグ、即ち、ＲＡＭ４内の参照アドレス格納領域に格納されている登録電話番号の自動メッセージ送信フラグ、または、ＲＡＭ４内の参照アドレス格納領域に格納されているシステム共通の設定項目の自動メッセージ送信フラグがＯＮであるか否かを調査し（ステップＳＴ２３）、その調査結果を中央処理装置５に通知する。
【００３８】
送信メッセージ発生部１７は、自動メッセージ送信フラグがＯＮである場合、中央処理装置５の指示の下、着信制御設定部２に設定されている応答メッセージ、即ち、ＲＡＭ４内の参照アドレス格納領域に格納されている登録電話番号の応答メッセージ、または、ＲＡＭ４内の参照アドレス格納領域に格納されているシステム共通の設定項目の応答メッセージを移動通信端末の送受信回路部１を介して発信端末に送信する（ステップＳＴ２４）。
この際、音声処理部１２がその応答メッセージを音声処理して、スピーカ１３から応答メッセージを音声出力させる。
【００３９】
中央処理装置５は、その後、終話データが移動通信端末の送受信回路部１に出力され、会話録音部１８の録音が終了すると（ステップＳＴ２５〜ＳＴ２７）、一連の着信制御処理を終了する。
なお、図５は着信制御の設定状態が登録番号優先であって、発信端末の電話番号に一致する電話番号が設定されている場合の表示器８の表示例を示す説明図であり、図６は着信制御の設定状態が登録番号優先であって、発信端末の電話番号に一致する電話番号が設定されていない場合の表示器８の表示例を示す説明図である。また、図７は着信制御の設定状態がシステム共通優先の場合の表示器８の表示例を示す説明図である。
【００４０】
以上で明らかなように、この実施の形態１によれば、発信端末の電話番号に一致する電話番号を登録している場合、その電話番号に対応する呼び出し名を音声出力するとともに、その電話番号を自動応答の対象として登録していれば、発信端末との通話接続処理を実施するように構成したので、発信相手を識別することができるとともに、安全に通話を開始することができる効果を奏する。
また、この実施の形態１によれば、発信端末の電話番号に一致する電話番号を登録している場合、その電話番号に対応する応答メッセージを発信端末に送信するように構成したので、ユーザが特別な操作を行うことなく、適切な応答メッセージを送信することができる効果を奏する。
【００４１】
実施の形態２．
上記実施の形態１では、特に言及していないが、図８に示すように、カーオーディオ２０を搭載し、そのカーオーディオ２０から出力される音声等をスピーカ１３から出力したり、発信端末に送信するようにしてもよい。
【００４２】
実施の形態３．
上記実施の形態１では、特に言及していないが、着信制御装置が携帯電話機と接続して、その携帯電話機をハンズフリーで使用可能にするハンズフリー機能を備えるようにしてもよい。
また、上記実施の形態１では、着信制御装置が移動通信端末の送受信回路部１を介して発信端末と接続するものについて示したが、着信制御装置が送受信回路部１を内蔵するようにしてもよい。
【図面の簡単な説明】
【００４３】
【図１】この発明の実施の形態１による着信制御装置を示す構成図である。
【図２】この発明の実施の形態１による着信制御方法を示すフローチャートである。
【図３】この発明の実施の形態１による着信制御方法を示すフローチャートである。
【図４】この発明の実施の形態１による着信制御方法を示すフローチャートである。
【図５】着信制御の設定状態が登録番号優先であって、発信端末の電話番号に一致する電話番号が設定されている場合の表示器の表示例を示す説明図である。
【図６】着信制御の設定状態が登録番号優先であって、発信端末の電話番号に一致する電話番号が設定されていない場合の表示器の表示例を示す説明図である。
【図７】着信制御の設定状態がシステム共通優先の場合の表示器の表示例を示す説明図である。
【図８】この発明の実施の形態２による着信制御装置を示す構成図である。
【符号の説明】
【００４４】
１  送受信回路部、２  着信制御設定部（登録受付手段）、３  ＲＯＭ、４  ＲＡＭ、５  中央処理装置、６  操作キー、７  表示制御部、８  表示器、９  表示文字ＲＯＭ、１０  着信制御処理部（電話番号取得手段、通話手段）、１１  着信音声発生部（通話手段）、１２  音声処理部（通話手段）、１３  スピーカ（通話手段）、１４  マイク（通話手段）、１５  疑似フック信号発生部（通話手段）、１６  通話処理部（通話手段）、１７  送信メッセージ発生部（応答手段）、１８  会話録音部（録音手段）、１９  スイッチ、２０  カーオーディオ。
【図１】
2006262510.tif 000003
【図２】
2006262510.tif 000004
【図３】
2006262510.tif 000005
【図４】
2006262510.tif 000006
【図５】
2006262510.tif 000007
【図６】
2006262510.tif 000008
【図７】
2006262510.tif 000009
【図８】
2006262510.tif 000010